(57)【要約】  【課題】プレゼンテーションにおいて映像の内容に合わせて対象物を動作させるプレゼンテーションシステムの提供  【解決手段】  ＣＰＵ３１１は、映像再生装置２１’に対してリセット情報を送信すると、タイマー回路３１３を初期化し、映像データの再生時間の計測を開始する。映像再生装置２１’はリセット情報を取得すると映像データの再生を開始するので、映像データの再生時間とタイマー回路３１３によって計測する再生時間とを一致させることができる。そして、メモリ３１２から動作スケジュールテーブルを取得し、タイマー回路３１３から再生時間を取得し、再生時間が予め定めたリセット時間に一致するか否かを判断する。一致しないと判断すると、取得した動作スケジュールテーブル及びタイマー回路３１３の再生時間に基づいて、ターンテーブル装置３３、扉開閉装置３５の動作を制御する。一致すると判断すると、リセット情報を送信する。【選択図】    図１２
2008124769.tif 000002
【特許請求の範囲】
【請求項１】
映像情報に基づいて映像を再生する映像再生装置、
所定の対象物を動作させる対象物動作装置、
前記映像の内容に合わせて前記対象物動作装置の動作を制御する動作制御装置、
を有するプレゼンテーションシステムであって、
前記動作制御装置は、
前記映像情報の再生時間を計測する再生時間計測手段、
前記再生時間が予め定められた予定再生時間となったか否かを判断する再生時間判断手段、
前記再生時間が予め定められた予定再生時間となると、基準情報を提供する基準情報提供手段、
前記再生時間が予め定められた予定再生時間となると、前記再生時間計測手段の再生時間を初期化する初期化手段、
計測した再生時間に基づいて、前記対象物動作装置を制御する制御手段、
を有し、
前記映像再生装置は、
前記映像情報を再生する再生手段、
再生した前記映像情報の画像を表示する表示手段、
前記基準情報を取得する基準情報取得手段、
を有する映像再生装置であって、
前記再生手段は、
前記基準情報を取得すると、前記映像情報を所定の位置から再生すること、
を特徴とするプレゼンテーションシステム。
【請求項２】
映像情報に基づいて映像を再生する映像再生装置、
所定の対象物を動作させる対象物動作装置、
前記映像の内容に合わせて前記対象物動作装置の動作を制御する動作制御装置、
を有するプレゼンテーションシステムであって、
前記映像再生装置は、
前記映像情報を再生する再生手段、
再生した前記映像情報の画像を表示する表示手段、
前記映像情報から、基準情報を取得する基準情報取得手段、
前記基準情報を前記動作制御装置に提供する基準情報提供手段、
を有し、
前記動作制御装置は、
前記映像情報の再生時間を計測する再生時間計測手段、
前記基準情報を取得する基準情報取得手段、
前記基準情報を取得すると、前記再生時間計測手段の再生時間を初期化する初期化手段、
計測した再生時間に基づいて、前記対象物動作装置を制御する制御手段、
を有すること、
を特徴とするプレゼンテーションシステム。
【請求項３】
請求項１又は請求項２に係るプレゼンテーションシステムのいずれかにおいて、
前記制御手段は、さらに、
前記対象物動作装置の動作と前記映像情報の再生時間とが関連付けられた動作時間情報に基づいて、前記対象物動作装置の動作を制御すること、
を特徴とするプレゼンテーションシステム。
【請求項４】
請求項１〜請求項３に係るプレゼンテーションシステムのいずれかにおいて、
前記表示手段は、さらに、
光の透過率が、当該表示手段の所定の位置から上下方向に向かって変化していること、
を特徴とするプレゼンテーションシステム。
【請求項５】
請求項１〜請求項４に係るプレゼンテーションシステムのいずれかにおいて、
前記表示手段は、さらに、
光の透過率が、当該表示手段の所定の位置から左右方向に向かって変化していること、
を特徴とするプレゼンテーションシステム。
【請求項６】
請求項４又は請求項５に係るプレゼンテーションシステムのいずれかにおいて、
前記映像再生装置は、さらに、
再生した前記映像情報の画像を前記表示手段に投影するためのプロジェクター手段、
を有し、
前記表示手段は、さらに、
前記プロジェクター手段と再生された画像を視聴する視聴者との間に位置すること、
を特徴とするプレゼンテーションシステム。
【発明の詳細な説明】
【技術分野】
【０００１】
本発明は、プレゼンテーションシステムであって、特に、プレゼンテーションにおいて映像の内容に合わせて対象物を動作させるものに関する。
【背景技術】
【０００２】
従来のプレゼンテーションシステムについてを用いて説明する。従来のプレゼンテーションシステムでは、映像を用いて商品説明を行う場合、映像内で商品説明を行っていた。つまり、映像を作成するにあたって商品の外観を撮影したり、その動作の様子を撮影したりした映像を用いていた。
【０００３】
【特許文献１】特開２００６−１１９８７５
【発明の開示】
【発明が解決しようとする課題】
【０００４】
前述のプレゼンテーションには、次のような問題点がある。商品の外観や動作を撮影した映像を用いて当該商品のプレゼンテーションを行ったとしても、当該プレゼンテーションを視聴する視聴者に対しては、訴求力が高いものではない、という問題点がある。
【０００５】
そこで、本発明は、プレゼンテーションにおいて映像の内容に合わせて対象物を動作させるプレゼンテーションシステムを提供することを目的とする。
【課題を解決するための手段】
【０００６】
本発明に関する課題を解決するための手段及び発明の効果を以下に示す。
【０００７】
（１）本発明に係るプレゼンテーションシステムは、映像情報に基づいて映像を再生する映像再生装置、所定の対象物を動作させる対象物動作装置、前記映像の内容に合わせて前記対象物動作装置の動作を制御する動作制御装置を有するプレゼンテーションシステムであって、前記動作制御装置は、前記映像情報の再生時間を計測する再生時間計測手段、前記再生時間が予め定められた予定再生時間となったか否かを判断する再生時間判断手段、前記再生時間が予め定められた予定再生時間となると、基準情報を提供する基準情報提供手段、前記再生時間が予め定められた予定再生時間となると、前記再生時間計測手段の再生時間を初期化する初期化手段、計測した再生時間に基づいて、前記対象物動作装置を制御する制御手段を有し、前記映像再生装置は、前記映像情報を再生する再生手段、再生した前記映像情報の画像を表示する表示手段、前記基準情報を取得する基準情報取得手段を有する映像再生装置であって、前記再生手段は、前記基準情報を取得すると、前記映像情報を所定の位置から再生する。
【０００８】
これにより、再生された映像情報の内容と対象物の動作との間に生ずる時間的なずれを定期的に修正することができる。つまり、映像情報を再生した映像の内容と対象物の動作とを、常に合わせることができる。
【０００９】
（２）本発明に係るプレゼンテーションシステムは、映像情報に基づいて映像を再生する映像再生装置、所定の対象物を動作させる対象物動作装置、前記映像の内容に合わせて前記対象物動作装置の動作を制御する動作制御装置を有するプレゼンテーションシステムであって、前記映像再生装置は、前記映像情報を再生する再生手段、再生した前記映像情報の画像を表示する表示手段、前記映像情報から、基準情報を取得する基準情報取得手段、前記基準情報を前記動作制御装置に提供する基準情報提供手段を有し、前記動作制御装置は、前記映像情報の再生時間を計測する再生時間計測手段、前記基準情報を取得する基準情報取得手段、前記基準情報を取得すると、前記再生時間計測手段の再生時間を初期化する初期化手段、計測した再生時間に基づいて、前記対象物動作装置を制御する制御手段を有する。
【００１０】
これにより、再生された映像情報の内容と対象物の動作との間に生ずる時間的なずれを定期的に修正することができる。つまり、映像情報を再生した映像の内容と対象物の動作とを、常に合わせることができる。
【００１１】
（３）本発明に係るプレゼンテーションシステムでは、前記制御手段は、さらに、前記対象物動作装置の動作と前記映像情報の再生時間とが関連付けられた動作時間情報に基づいて、前記対象物動作装置の動作を制御する。これにより、容易に対象物の動作を制御することができる。
【００１２】
（４）本発明に係るプレゼンテーションシステムでは、前記表示手段は、さらに、光の透過率が、中央部から上下方向に向かって変化している。
【００１３】
これにより、中央部から上下方向に向かって光の透過率を低くすることができ、表示手段の上下端部における映像の視認性を向上させることができる。つまり、視野角を広くすることができる。
【００１４】
（５）本発明に係るプレゼンテーションシステムでは、前記表示手段は、さらに、光の透過率が、中央部から左右方向に向かって変化している。
【００１５】
これにより、中央部から左右方向に向かって光の透過率を低くすることができ、表示手段の左右端部における映像の視認性を向上させることができる。つまり、視野角を広くすることができる。
【００１６】
（６）本発明に係るプレゼンテーションシステムでは、前記映像再生装置は、さらに、再生した前記映像情報の画像を前記表示手段に投影するためのプロジェクター手段を有し、前記表示手段は、さらに、前記プロジェクター手段と再生された画像を視聴する視聴者との間に位置する。
【００１７】
これにより、視聴者に向かって照射されるプロジェクター手段の光を表示手段上の位置ごとに視聴に対して適切となるように調整することができる。つまり、視聴者に向かってプロジェクター手段の光が照射される場合であっても、視聴者にとって最適な映像を表示手段に表示することができる。
【００１８】
ここで、請求項に記載されている要素と実施例における要素との対応関係を示す。映像再生装置は映像再生装置２１、２１’に、対象物動作装置はターンテーブル装置３３及び扉開閉装置３５に、動作制御装置は動作制御装置３１、３１’に、それぞれ該当する。
【００１９】
映像再生装置における、再生手段はＣＰＵ２１１、メモリ２１２及びＡＶ出力回路２１９に、表示手段はガラススクリーン２７に、基準情報取得手段はＣＰＵ２１１及びメモリ２１２若しくはＣＰＵ２１１、メモリ２１２及び制御信号入力回路２１６に、基準情報提供手段はＣＰＵ２１１及び制御信号出力回路２１８に、プロジェクター手段はプロジェクター装置３３に、それぞれ対応する。
【００２０】
また、動作制御装置における、再生時間計測手段はタイマー回路３１３に、基準情報取得手段はＣＰＵ３１１、メモリ３１２及び制御信号入力回路３１５に、初期化手段はＣＰＵ３１１及びメモリ３１２に、制御手段はＣＰＵ３１１、メモリ３１２及び動作制御信号出力回路３１６に、再生時間判断手段はＣＰＵ３１１及びメモリ３１２に、基準情報提供手段はＣＰＵ３１１及び再生制御信号出力回路３１８に、それぞれ該当する。
【００２１】
映像再生装置における、再生手段はステップＳ９０７〜Ｓ９１１の処理を、基準情報取得手段はステップＳ９０１及びステップＳ９０３の処理又はステップＳ１５０１の処理を、基準情報提供手段はステップＳ９０５の処理を、それぞれ実行する。
【００２２】
また、動作制御装置における、再生時間計測手段はステップＳ１００５の処理を、基準情報取得手段はステップＳ１００１の処理を、初期化手段はステップＳ１００３の処理を、制御手段はステップＳ１００７、Ｓ１００９の処理を、再生時間判断手段はステップＳ１６０３、Ｓ１６０５の処理を、基準情報提供手段はステップＳ１６０１の処理を、それぞれ実行する。
【００２３】
映像情報は、映像データに対応する。基準情報は、特定情報における「先頭フレーム」及びリセット情報に対応する。動作時間情報は、動作スケジュールテーブルに、予定再生時間はリセット時間に、それぞれ対応する。
【発明を実施するための最良の形態】
【００２４】
本発明におけるプレゼンテーションシステムの実施例を以下において説明する。
【実施例１】
【００２５】
1.  プレゼンテーションシステムの機能
本発明に係るプレゼンテーションシステムＭ１の機能を図１に示す機能ブロック図に基づき説明する。プレゼンテーションシステムＭ１は、映像再生装置Ｍ１１、動作制御装置Ｍ１３及び対象物制御装置Ｍ１５を有している。
【００２６】
映像再生装置Ｍ１１は、映像情報に基づいて映像を再生する。映像再生装置Ｍ１１は、再生手段ｍ１１１、表示手段ｍ１１３、基準情報取得手段ｍ１１５、基準情報送信手段ｍ１１７及びプロジェクター手段ｍ１１９を有している。
【００２７】
再生手段ｍ１１１は、映像情報を再生する。
【００２８】
表示手段ｍ１１３は、再生した映像情報の画像を表示する。また、表示手段ｍ１１３は、光の透過率が、中央部から上下方向に向かって変化している。さらに、表示手段ｍ１１３は、プロジェクター手段ｍ１１９と再生された画像を視聴する視聴者との間に位置する。
【００２９】
基準情報取得手段ｍ１１５は、映像情報から、基準情報を取得する。基準情報提供手段ｍ１１７は、基準情報を動作制御装置Ｍ１３に提供する。
【００３０】
プロジェクター手段ｍ１１９は、再生した前記映像情報の画像を前記表示手段に投影する。
【００３１】
動作制御装置Ｍ１３は、映像の内容に合わせて対象物動作装置Ｍ１５の動作を制御する。動作制御装置Ｍ１３は、再生時間計測手段ｍ１３１、基準情報取得手段ｍ１３３、初期化手段ｍ１３５、及び制御手段ｍ１３７を有している。
【００３２】
再生時間計測手段ｍ１３１は、映像情報の再生時間を計測する。基準情報取得手段ｍ１３３は、基準情報を取得する。初期化手段ｍ１３５は、基準情報を取得すると、再生時間計測手段ｍ１３１の再生時間を初期化する。
【００３３】
制御手段ｍ１３７は、計測した再生時間に基づいて、対象物動作装置Ｍ１５を制御する。また、制御手段１３７は、対象物動作装置Ｍ１５の動作と映像情報の再生時間とが関連付けられた動作時間情報に基づいて、対象物動作装置Ｍ１５の動作を制御する。
【００３４】
対象物動作装置Ｍ１５は、所定の対象物を動作させる。
【００３５】
これにより、再生された映像情報の内容と対象物の動作との間に生ずる時間的なずれを定期的に修正することができる。つまり、映像情報を再生した映像の内容と対象物の動作とを、常に合わせることができる。また、容易に対象物の動作を制御することができる。さらに、中央部から上下方向に向かって光の透過率を低くすることができ、表示手段の上下端部における映像の視認性を向上させることができる。つまり、視野角を広くすることができる。さらに、視聴者に向かって照射されるプロジェクター手段の光を表示手段上の位置ごとに視聴に対して適切となるように調整することができる。つまり、視聴者に向かってプロジェクター手段の光が照射される場合であっても、視聴者にとって最適な映像を表示手段に表示することができる。
【００３６】
2.  構成
2.1.  プレゼンテーションシステム１の構成
プレゼンテーションシステム１のハードウェア構成を図２を用いて説明する。プレゼンテーションシステム１は、映像再生装置２１、プロジェクター装置２３、スピーカ２５、ガラススクリーン２７、動作制御装置３１、ターンテーブル装置３３、及び扉開閉装置３５を有している。
【００３７】
映像再生装置２１は、映像データを再生し、プロジェクター装置２３に画像データを、スピーカ２５に音声データを提供する。プロジェクター装置２３は、取得した画像データをガラススクリーン２７へ投影する。
【００３８】
ガラススクリーン２７は、プロジェクター装置２３と再生された画像を視聴する視聴者との間に位置する。つまり、ガラススクリーン２７の前方に位置する視聴者は、ガラススクリーン２７の後方から投影され、ガラススクリーン２７上に表示された画像を視聴することになる。また、ガラススクリーン２７は、プロジェクター装置２３に対して下側に位置するように、つまりガラススクリーン２７に対して斜め上方からプロジェクター装置２３からの映像の投影が行われるように、配置されている。
【００３９】
動作制御装置３１は、映像再生装置２１で再生される映像データの内容に合わせてターンテーブル装置３３や扉開閉装置３５を動作させる。ターンテーブル装置３３は、冷蔵庫Ｒ１をターンテーブル上に載置しており、ターンテーブルの回転によって冷蔵庫Ｒ１の向きを変化させる。扉開閉装置３５は、冷蔵庫Ｒ１に設けられ、冷蔵庫Ｒ１の扉の開閉を行う。
【００４０】
以下において、映像再生装置２１、ガラススクリーン２７及び動作制御装置３１の構成を説明する。
【００４１】
2.2.  映像再生装置２１のハードウェア構成
映像再生装置２１のハードウェア構成を図３に基づいて説明する。映像再生装置２１は、ＣＰＵ２１１、メモリ２１２、ハードディスク２１３、制御信号出力回路２１８及びＡＶ出力回路２１９を備えている。また、映像再生装置２１には、キーボード２１４、マウス２１５、及びＣＤ−ＲＯＭドライブ２１７が接続されている。
【００４２】
ＣＰＵ２１１は、ハードディスク２１３に記録されているオペレーティング・システム（ＯＳ）、映像再生プログラム等その他のアプリケーションに基づいた処理を行う。メモリ２１２は、ＣＰＵ２１１に対して作業領域を提供する。ハードディスク２１３は、オペレーティング・システム（ＯＳ）、映像再生プログラム等その他のアプリケーション及び映像データ等の各種データを記録保持する。なお、ハードディスク２１３に記録されている映像データについては後述する。
【００４３】
制御信号出力回路２１８は、Ｄ−ｓｕｂ１５ピンのコネクタを介してリセット情報等の制御信号を動作制御装置３１へ送信する。ＡＶ出力回路２１９は、プロジェクター装置２３へ画像データを、スピーカ２５へ音声データを送信する。
【００４４】
キーボード２１４、マウス２１５は、外部からの命令を受け付ける。ＣＤ−ＲＯＭドライブ２１７は、映像再生プログラムが記録されているＣＤ−ＲＯＭ２１０から映像再生プログラム及び他のＣＤ−ＲＯＭからその他のアプリケーションのプログラムを読み取る等、ＣＤ−ＲＯＭからのデータの読み取りを行う。
【００４５】
2.3.  ガラススクリーン２７の構成
ガラススクリーン２７の構成を図４Ａに基づいて説明する。ガラススクリーン２７では、光の透過率が、中央部から上下方向に向かって変化している。ガラススクリーン２７は、ガラス板Ｇ１及びガラスシェード・フィルムＧ３を有している。ガラスシェード・フィルムＧ３は、ガラス板Ｇ１上に貼り付けられている。なお、図４Ａにおいて、ガラスシェード・フィルムＧ３は、実際の厚さより厚く表現されている。
【００４６】
ガラスシェード・フィルムＧ３には、濃淡のグラデーションが設けられている。この濃淡のグラデーションによって、光の透過率を変化させることができる。また、ガラスシェード・フィルムＧ３では、ガラススクリーン２７の中央付近から上下に向かって濃度が濃くなるようにグラデーションが設けられている。
【００４７】
ガラススクリーン２７を用いてプロジェクター装置２３から映像を投影する場合、視野角が狭くなるという問題が生ずるが、ガラススクリーン２７に透過率が変化するように濃淡のグラデーションを設けることによって、視聴者の視野角を広くすることができる。また、プロジェクター装置２３からの投影が斜め上方から行われる場合には、視聴者に対して上方から直接的にプロジェクター光が照射されるという問題が生ずるが、中央部から上方に向かって透過率が低くなるようにグラデーションを設けることによって、視聴者に対して上方から直接的に照射されるプロジェクター光を適切に遮ることができる。
【００４８】
2.4.  動作制御装置３１のハードウェア構成
動作制御装置３１のハードウェア構成を図５に基づいて説明する。動作制御装置３１は、ＣＰＵ３１１、メモリ３１２、タイマー回路３１３、リセットスイッチ３１４、制御信号入力回路３１５及び動作制御信号出力回路３１６を備えている。
【００４９】
ＣＰＵ３１１は、メモリ３１２に記録されているオペレーティング・システム（ＯＳ）、動作制御プログラム等その他のアプリケーションに基づいた処理を行う。メモリ３１２は、ＣＰＵ３１１に対して作業領域を提供する。また、メモリ３１２は、オペレーティング・システム（ＯＳ）、動作制御プログラム等その他のアプリケーション及び動作スケジュールテーブル等の各種データを記録保持する。なお、メモリ３１２に記録されている動作スケジュールテーブルについては後述する。
【００５０】
タイマー回路３１３は、映像データが再生された時間である再生時間を計測する。リセットスイッチ３１４は、タイマー回路３１３を初期化し、計測した再生時間を「０」とする。
【００５１】
制御信号入力回路３１５は、映像再生装置２１から出力されたリセット情報等の制御信号を受信する。動作制御信号出力回路３１６は、ターンテーブル装置３３及び扉開閉装置３５の動作を制御する制御信号を、ターンテーブル装置３３及び扉開閉装置３５に出力する。
【００５２】
3.  データ
映像再生装置２１が有する映像データ及び動作制御装置３１が有する動作スケジュールテーブルを以下において説明する。
【００５３】
3.1.  映像データ
映像データのデータ構造を図６を用いて説明する。映像データは複数のフレームデータＦ０、Ｆ１、・・・、ＦＸによって構成されている。各フレームデータは、ヘッダ部ＨＸ及びデータ部ＤＸを有している。
【００５４】
各フレームデータのデータ構造を図７に示す。ヘッダ部ＨＸには、当該フレームを特定する識別子、当該フレームデータが属する映像を特定する映像特定情報、当該フレームのタイムスタンプ等が記述されている。ここで、先頭フレームＦ０においては、識別子として「先頭フレーム」が、タイムスタンプとして「００’００’’００」が、それぞれ記述される。
【００５５】
3.2.  動作スケジュールテーブル
動作スケジュールテーブルとは、映像データの内容に合わせた対象物の動作を時間軸に沿って記述したデータベースである。
【００５６】
動作スケジュールテーブルの一例を図８に示す。動作スケジュールテーブルは、［動作対象装置］列Ｃ８０１、［動作］列Ｃ８０３及び［時間］列Ｃ８０５を有している。［動作対象装置］列Ｃ８０１には、動作させる装置を特定する装置名が記述される。［動作］列Ｃ８０３には、［動作対象装置］列Ｃ８０１に記述された装置に行わせる動作が記述される。例えば、ターンテーブル装置のターンテーブルを右に９０度回転させるのであれば、「右に９０度回転」と記述される。［時間］列Ｃ８０５には、［動作］列Ｃ８０３に記述された動作を行う時間が記述される。ここで記述する時間は、映像データの再生開始時を起算点として経過した再生時間が記述される。
【００５７】
4.  映像再生装置２１の動作
映像再生装置２１のＣＰＵ２１１の動作について図９に示すフローチャートを用いて説明する。ＣＰＵ２１１は、映像データから１フレームのヘッダ部のデータを取得する（Ｓ９０１）。ＣＰＵ２１１は、取得したヘッダ部の識別子が「先頭フレーム」であるか否かを判断する（Ｓ９０３）。ＣＰＵ２１１は、取得したヘッダ部の識別子が「先頭フレーム」であると判断すると、リセット情報を動作制御装置３１へ送信する（Ｓ９０５）。
【００５８】
ＣＰＵ２１１は、取得したヘッダ部に対応するデータ部を取得する（Ｓ９０７）。ＣＰＵ２１１は、取得したデータ部のデータを映像再生プログラムに基づいたデコード処理を行う。ＣＰＵ２１１は、デコード処理の結果として得られる画像データ及び音声データをＡＶ出力回路２１９へ送信する（Ｓ９１１）。
【００５９】
ＣＰＵ２１１は、映像データの再生を終了するか否かを判断する（Ｓ９１３）。なお、本実施例における映像再生装置２１では、映像データをループでエンドレス再生し、再生の終了は、映像データの再生回数によって予め設定しておく。したがって、ＣＰＵ２１１は、映像データの再生を終了するか否かは、映像データを何回再生したかによって判断する。
【００６０】
ＣＰＵ２１１は、映像データの再生を続けると判断すると、次のフレームに関するフレームデータについてステップＳ８０１〜Ｓ８１３の処理を実行する。
【００６１】
5.  動作制御装置３１の動作
動作制御装置３１のＣＰＵ３１１の動作について図１０に示すフローチャートを用いて説明する。ＣＰＵ３１１は、リセット情報を獲得すると（Ｓ１００１）、タイマー回路３１３を初期化する（Ｓ１００３）。具体的には、タイマー回路３１３を再生時間を「０」にリセットする。そして、ＣＰＵ３１１は、タイマー回路３１３によって、映像データの再生時間の計測を開始する（Ｓ１００５）。リセット情報は、映像再生装置２１が映像データから「先頭フレーム」である旨の識別子を取得した場合に動作制御装置３１に送信されるので、映像データの再生時間とタイマー回路３１３によって計測する再生時間とを一致させることができる。
【００６２】
ＣＰＵ３１１は、メモリ３１２から動作スケジュールテーブルを取得する（Ｓ１００７）。ＣＰＵ３１１は、取得した動作スケジュールテーブル及びタイマー回路３１３の再生時間に基づいて、ターンテーブル装置３３、扉開閉装置３５の動作を制御する（Ｓ１００９）。具体的には、タイマー回路３１３の再生時間と動作スケジュールテーブルの［時間］列Ｃ８０５の値とを比較し、一致すれば、［動作対象装置］列Ｃ８０１に記述された動作対象装置に対して［動作］列Ｃ８０３に記述された動作を行うように、動作制御信号出力回路３１６を介して制御信号を送信する。
【００６３】
ＣＰＵ３１１は、ターンテーブル装置３３、扉開閉装置３５の制御を終了するか否かを判断する（Ｓ１０１１）。ＣＰＵ３１１は、制御を終了しないと判断すると、ステップＳ１００１〜Ｓ１０１１までの処理を繰り返す。
【００６４】
なお、ＣＰＵ３１１は、ステップＳ１００３におけるタイマー回路３１３の初期化以外に、リセットスイッチ３１４が操作されたことによるリセット情報に基づくタイマー回路３１３の初期化も可能となっている。
【実施例２】
【００６５】
1.  概要
実施例１においては、リセット情報は、映像再生装置２１から動作制御装置３１へ送信された。本実施例に係るプレゼンテーションシステムでは、リセット情報は、動作制御装置から映像再生装置へ送信される。以下においては、実施例１と異なる点を中心に説明する。なお、実施例１と同様の構成、処理等については、実施例１と同様の符号を付している。
【００６６】
2.  プレゼンテーションシステムの機能
本発明に係るプレゼンテーションシステムＭ２の機能を図１１に示す機能ブロック図に基づき説明する。プレゼンテーションシステムＭ２は、映像再生装置Ｍ２１、動作制御装置Ｍ２３及び対象物制御装置Ｍ１５を有している。
【００６７】
映像再生装置Ｍ２１は、映像情報に基づいて映像を再生する。映像再生装置Ｍ１１は、再生手段ｍ２１１、表示手段ｍ１１３、基準情報取得手段ｍ２１５及びプロジェクター手段ｍ１１９を有している。
【００６８】
再生手段ｍ２１１は、映像情報を再生する。また、再生手段ｍ２１１は、基準情報を取得すると、映像情報を所定の位置から再生する。基準情報取得手段ｍ２１５は、基準情報を取得する。
【００６９】
動作制御装置Ｍ２３は、映像の内容に合わせて前記対象物動作装置の動作を制御する。動作制御装置Ｍ２３は、再生時間計測手段ｍ１３１、再生時間判断手段ｍ２３１、基準情報提供手段ｍ２３３、初期化手段ｍ２３５、及び制御手段ｍ１３７を有している。
【００７０】
再生時間判断手段ｍ２３１は、再生時間が予め定められた予定再生時間となったか否かを判断する。基準情報提供手段ｍ２３３は、再生時間が予め定められた予定再生時間となると、基準情報を提供する。初期化手段ｍ２３５は、再生時間が予め定められた予定再生時間となると、再生時間計測手段ｍ２３１の再生時間を初期化する
これにより、再生された映像情報の内容と対象物の動作との間に生ずる時間的なずれを定期的に修正することができる。つまり、映像情報を再生した映像の内容と対象物の動作とを、常に合わせることができる。また、容易に対象物の動作を制御することができる。さらに、中央部から上下方向に向かって光の透過率を低くすることができ、表示手段の上下端部における映像の視認性を向上させることができる。つまり、視野角を広くすることができる。さらに、視聴者に向かって照射されるプロジェクター手段の光を表示手段上の位置ごとに視聴に対して適切となるように調整することができる。つまり、視聴者に向かってプロジェクター手段の光が照射される場合であっても、視聴者にとって最適な映像を表示手段に表示することができる。
【００７１】
3.  構成
3.1.  プレゼンテーションシステム１’の構成
プレゼンテーションシステム１’のハードウェア構成を図１２を用いて説明する。プレゼンテーションシステム１’は、映像再生装置２１’、プロジェクター装置２３、スピーカ２５、ガラススクリーン２７、動作制御装置３１’、ターンテーブル装置３３、及び扉開閉装置３５を有している。
【００７２】
以下において、映像再生装置２１’及び動作制御装置３１’のハードウェア構成を説明する。
【００７３】
3.2.  映像再生装置２１’のハードウェア構成
映像再生装置２１’のハードウェア構成を図１３に基づいて説明する。映像再生装置２１’は、ＣＰＵ２１１、メモリ２１２、ハードディスク２１３、制御信号入力回路２１６及びＡＶ出力回路２１９を備えている。また、映像再生装置２１’には、キーボード２１４、マウス２１５、及びＣＤ−ＲＯＭドライブ２１７が接続されている。
【００７４】
制御信号入力回路２１６は、Ｄ−ｓｕｂ１５ピンのコネクタを介して動作制御装置３１’から制御信号であるリセット情報等を受信する。その他の構成については、実施例１と同様である。
【００７５】
3.3.  動作制御装置３１’のハードウェア構成
動作制御装置３１’のハードウェア構成を図１４に基づいて説明する。動作制御装置３１’は、ＣＰＵ３１１、メモリ３１２、タイマー回路３１３、リセットスイッチ３１４、動作制御信号出力回路３１６及び再生制御信号出力回路３１８を備えている。
【００７６】
再生制御信号出力回路３１８は、映像再生装置２１’に対してリセット情報等の制御信号を出力する。その他の構成については、実施例１と同様である。
【００７７】
4.  データ
映像再生装置２１’が有する映像データ及び動作制御装置３１’が有する動作スケジュールテーブルについては実施例１と同様である。
【００７８】
5.  映像再生装置２１’の動作
映像再生装置２１’のＣＰＵ２１１の動作について図１５に示すフローチャートを用いて説明する。ＣＰＵ２１１は、ＣＰＵ３１１は、リセット情報を獲得すると（Ｓ１５０１）、映像データから１フレームのヘッダ部のデータを取得する（Ｓ９０１）。
【００７９】
ＣＰＵ２１１は、取得したヘッダ部に対応するデータ部を取得する（Ｓ９０７）。ＣＰＵ２１１は、取得したデータ部のデータを映像再生プログラムに基づいたデコード処理を行う。ＣＰＵ２１１は、デコード処理の結果として得られる画像データ及び音声データをＡＶ出力回路２１９へ送信する（Ｓ９１１）。
【００８０】
ＣＰＵ２１１は、映像データの再生を終了するか否かを判断する（Ｓ９１３）。ＣＰＵ２１１は、映像データの再生を終了するか否かの判断を、動作制御装置３１’から終了情報を受信するか否かによって判断する。ＣＰＵ２１１は、終了情報を受信していない、つまり映像データの再生を続けると判断すると、次のフレームに関するフレームデータについてステップＳ８０１〜Ｓ８１３の処理を実行する。
【００８１】
6.  動作制御装置３１’の動作
動作制御装置３１’のＣＰＵ３１１の動作について図１６に示すフローチャートを用いて説明する。ＣＰＵ３１１は、映像再生装置２１’に対して再生制御信号出力回路３１８を介してリセット情報を送信すると（Ｓ１６０１）、タイマー回路３１３を初期化する（Ｓ１００３）。具体的には、タイマー回路３１３を再生時間を「０」にリセットする。そして、ＣＰＵ３１１は、タイマー回路３１３によって、映像データの再生時間の計測を開始する（Ｓ１００５）。映像再生装置２１’はリセット情報を取得すると映像データの再生を開始するので、映像データの再生時間とタイマー回路３１３によって計測する再生時間とを一致させることができる。
【００８２】
ＣＰＵ３１１は、メモリ３１２から動作スケジュールテーブルを取得する（Ｓ１００７）。ＣＰＵ３１１は、タイマー回路３１３から再生時間を取得し（Ｓ１６０３）、取得した再生時間が予め定めたリセット時間に一致するか否かを判断する（Ｓ１６０５）。
【００８３】
ＣＰＵ３１１は、取得した再生時間が予め定めたリセット時間に一致しないと判断すると、取得した動作スケジュールテーブル及びタイマー回路３１３の再生時間に基づいて、ターンテーブル装置３３、扉開閉装置３５の動作を制御する（Ｓ１００９）。具体的には、タイマー回路３１３の再生時間と動作スケジュールテーブルの［時間］列Ｃ８０５の値とを比較し、一致すれば、［動作対象装置］列Ｃ８０１に記述された動作対象装置に対して［動作］列Ｃ８０３に記述された動作を行うように、動作制御信号出力回路３１６を介して制御信号を送信する。
【００８４】
一方、ＣＰＵ３１１は、ステップＳ１６０５において、取得した再生時間が予め定めたリセット時間に一致すると判断すると、ターンテーブル装置３３、扉開閉装置３５の制御を終了するか否かを判断する（Ｓ１０１１）。なお、本実施例における映像再生装置２１’では、映像データをループでエンドレス再生するものであるので、その再生の終了は、映像データの再生回数によって、つまり動作制御装置３１’においてリセット情報を送信する回数を、動作制御装置３１’側で予め設定しておく。なお、予め設定するリセット情報を送信する回数は、メモリ３１２に記憶保持される。
【００８５】
ＣＰＵ３１１は、制御を終了しないと判断すると、前述の処理を繰り返す。一方、制御を終了する、つまりリセット情報を送信した回数が予め設定した回数に達したと判断すると、制御情報である終了情報を映像再生装置２１’へ送信する。
【００８６】
なお、ＣＰＵ３１１は、ステップＳ１００３におけるタイマー回路３１３の初期化以外に、リセットスイッチ３１４の操作によっても、タイマー回路３１３の初期化を可能としている。また、ＣＰＵ３１１は、リセットスイッチ３１４が操作されたと判断すると、リセット情報を映像再生装置２１’へ送信する。
【００８７】
［その他の実施例］
（１）映像再生装置２１、２１’及び動作制御装置３１、３１’
前述の実施例１においては、映像再生装置２１は、ＣＰＵ２１１を用いて映像データの再生を行うこととしたが、映像データを再生できるものであれば例示のものに限定されない。例えば、映像データの再生処理を行う専用のハードウェアロジック回路を用いてもよい。
【００８８】
また、動作制御装置３１も、ＣＰＵ３１１を用いてターンテーブル装置３３等の制御を行うこととしたが、例示のものに限定されない。例えば、ターンテーブル装置３３の制御を行うハードウェアロジック回路を用いてもよい。
【００８９】
前述の実施例２における映像再生装置２１’、動作制御装置３１’についても同様である。
【００９０】
（２）ガラススクリーン２７
前述の実施例１及び実施例２においては、ガラススクリーン２７には、中央部から上下方向に向かって光の透過率が低くなるようにグラデーションを設けた。しかし、図４Ｂに示すように、中央部から左右方向に向かって光の透過率が低くなるようにグラデーションを設けるようにしてもよい。さらに、図４Ｃに示すように、中央部から上下、左右方向に向かって、つまり、放射状に光の透過率が低くなるようにグラデーションを設けるようにしてもよい。
【００９１】
また、ガラススクリーン２７においては、ガラスシェード・フィルムによって透過率の変化を実現したが、透過率を変化させることができるものであれば、例示のものに限定されない。例えば、ガラス板Ｇ１に塗料等を塗布・噴射することによって、透過率を変化させてもよい。また、透過率を調整する材料を混ぜ込んだガラス板Ｇ１用いてガラススクリーンを構成するようにしてもよい。
【００９２】
さらに、表示手段としてガラススクリーン２７を例示したが、映像を表示できるものであれば、例示のもの限定されない。例えば、アクリル板等であってもよい。
【００９３】
さらに、ガラススクリーン２７では、当該表示手段の所定の位置として中央部付近を例示した。しかし、当該表示手段の所定の位置であれば例示のものに限定されない。当該表示手段の所定の位置とは、表示手段の透過率に変化を持たせるにあたって、表示手段の最も広い若しくは適切な視野角を獲得するために最適な位置をいう。例えば、ガラススクリーン２７の下から１／３の位置や右から１／３の位置を所定の位置としてもよい。
【００９４】
（３）フレームデータの識別子
前述の実施例１及び実施例２においては、フレームデータの識別子の値が「先頭フレーム」である場合に、タイマー回路３１３を初期化するとしたが、タイマー回路３１３を所定のタイミングで初期化できるものであれば、例示のものに限定されない。例えば、数フレームごとに、初期化フラグを設けるようにしてもよい。また、初期化フラグを設ける場所は、識別子であっても、ヘッダ部の他の領域、ヘッダ部以外の領域であってもよい。
【００９５】
（４）映像データ
前述の実施例１及び実施例２では、１種類の映像データをループして、エンドレス再生することとした。しかし、複数の映像データを連続して再生するようにしてもよい。この場合、映像データごとに当該映像データを特定する映像特定情報を設け、動作スケジュールテーブルにおいて映像特定情報と制御対象装置・動作等とを対応付けることによって、映像データごとにその内容に合わせて対象物である冷蔵庫Ｒ１等を動作させることができる。
【００９６】
（５）プロジェクター装置２３
前述の実施例１及び実施例２におけるプロジェクター装置２３は、当該プロジェクター装置２３と視聴者との間にガラススクリーン２７を配置する、いわゆるリアプロ型を用いたが、映像をガラススクリーン２７に投影できるものであれば例示のものに限定されない。例えば、プロジェクター装置２３と視聴者とが同一方向に位置する場合であってもよい。
【００９７】
また、ガラススクリーン２７に対して斜め上方からプロジェクター装置２３からの映像の投影が行われるように、プロジェクター装置２３は配置されているとしたが、例示のものに限定されない。例えば、ガラススクリーン２７に対して斜め下方から映像の投影が行われるように、プロジェクター装置２３を配置するようにしてもよい。
【００９８】
（６）動作スケジュールテーブル
前述の実施例１及び実施例２においては、ターンテーブル装置３３、扉開閉装置３５の動作を制御するために動作スケジュールテーブルを用いたが、ターンテーブル装置３３等を制御できるものであれば、例示のものに限定されない。例えば、ターンテーブル装置３３等の動作を記述したプログラム等を利用するようにしてもよい。
【００９９】
（７）フローチャートにおける処理の順番
前述の実施例１及び実施例２においては、図に示した各フローチャートに基づいて、各処理を実現するようにした。しかし、各処理を実現できるものであれば、各フローチャート内における処理の順番は例示のものに限定されない。
【図面の簡単な説明】
【０１００】
【図１】本発明における実施例１に係るプレゼンテーションシステムの機能ブロック図を示した図である。
【図２】プレゼンテーションシステム１のハードウェア構成を示した図である。
【図３】図２における映像再生装置２１のハードウェア構成を示した図である。
【図４】図２におけるガラススクリーン２７の構成を示した図である。
【図５】図２における動作制御装置３１のハードウェア構成を示した図である。
【図６】映像データにおけるフレームデータを示した図である。
【図７】フレームデータのデータ構造を示した図である。
【図８】動作スケジュールテーブルを示した図である。
【図９】映像再生装置２１の動作を示したフローチャートである。
【図１０】動作制御装置３１の動作を示したフローチャートである。
【図１１】本発明における実施例２に係るプレゼンテーションシステムの機能ブロック図を示した図である。
【図１２】プレゼンテーションシステム１’のハードウェア構成を示した図である。
【図１３】図１２における映像再生装置２１’のハードウェア構成を示した図である。
【図１４】図１２における動作制御装置３１’のハードウェア構成を示した図である。
【図１５】映像再生装置２１’の動作を示したフローチャートである。
【図１６】動作制御装置３１’の動作を示したフローチャートである。
【符号の説明】
【０１０１】
Ｍ１、Ｍ２・・・・・プレゼンテーションシステム
Ｍ１１、Ｍ２１・・・・・映像再生装置
Ｍ１３、Ｍ２３・・・・・動作制御装置
Ｍ１５・・・・・対象物動作装置
ｍ１１１・・・・・再生手段
ｍ１１３・・・・・表示手段
ｍ１１５、ｍ２１５・・・・・基準情報取得手段
ｍ１１７・・・・・基準情報提供手段
ｍ１１９・・・・・プロジェクター手段
ｍ１３１・・・・・再生時間計測手段
ｍ１３３・・・・・基準情報取得手段
ｍ１３５、ｍ２３５・・・・・初期化手段
ｍ１３７・・・・・制御手段
ｍ２３１・・・・・再生時間判断手段
ｍ２３３・・・・・基準情報提供手段
１、１’・・・・・プレゼンテーションシステム
２１、２１’・・・・・映像再生装置
２３・・・・・プロジェクター装置
２５・・・・・スピーカ
２７・・・・・ガラススクリーン
３１、３１’・・・・・動作制御装置
３３・・・・・ターンテーブル装置
３５・・・・・扉開閉装置
Ｒ１・・・・・冷蔵庫
２１１・・・・・ＣＰＵ
２１２・・・・・メモリ
２１３・・・・・ハードディスク
２１４・・・・・キーボード
２１５・・・・・マウス
２１６・・・・・制御信号入力回路
２１７・・・・・ＣＤ−ＲＯＭドライブ
２１８・・・・・制御信号出力回路
２１９・・・・・ＡＶ出力回路
３１１・・・・・ＣＰＵ
３１２・・・・・メモリ
３１３・・・・・タイマー回路
３１４・・・・・リセットスイッチ
３１５・・・・・制御信号入力回路
３１６・・・・・動作制御信号出力回路
３１８・・・・・再生制御信号出力回路
ＦＸ・・・・・フレームデータ
ＨＸ・・・・・ヘッダ部
ＤＸ・・・・・データ部
【図１】
2008124769.tif 000003
【図２】
2008124769.tif 000004
【図３】
2008124769.tif 000005
【図５】
2008124769.tif 000006
【図６】
2008124769.tif 000007
【図７】
2008124769.tif 000008
【図８】
2008124769.tif 000009
【図９】
2008124769.tif 000010
【図１０】
2008124769.tif 000011
【図１１】
2008124769.tif 000012
【図１２】
2008124769.tif 000013
【図１３】
2008124769.tif 000014
【図１４】
2008124769.tif 000015
【図１５】
2008124769.tif 000016
【図１６】
2008124769.tif 000017
【図４】
2008124769.tif 000018